(57)【要約】    【課題】  裸眼の人が目当てを接眼鏡筒から引き出して使用するときに、その目当ての位置をより微調整を要する領域で細かく調整でき、観察に適した位置に目当てを設定できるようにする。    【解決手段】  接眼鏡筒３０に対して光軸ＡＸ方向に相対的に移動可能な環状体２１と、接眼鏡筒３０に設けられた板バネ３１の突起部と、環状体２１に設けられ、突起部を保持するクリック溝とを備えている接眼部材において、環状体２１を所定量以上引き出したときにクリック溝のピッチを小さくなるように設定し、環状体２１の位置を細かく調節できるようにした。【選択図】        図４
2005257714.tif 000002
【特許請求の範囲】
【請求項１】
接眼レンズを保持する接眼鏡筒の外周部に設けられ、前記接眼鏡筒に対して前記接眼レンズの光軸方向に相対的に移動可能な目当てと、前記接眼鏡筒と前記目当てとが対向する位置の一方に設けられた凸部と、前記接眼鏡筒と前記目当てとが対向する位置の他方に設けられ、前記凸部を保持する少なくとも３つの保持部とを備えている接眼部材において、
前記保持部のピッチは前記目当てを押し込む側より引き出す側で相対的に小さくなるように設定されていることを特徴とする接眼部材。
【請求項２】
前記少なくとも３つの保持部のうちの前記目当てを最も引き出したときに前記凸部を保持する引出し側保持部とこの保持部に隣接する第１中間保持部との間隔が、前記少なくとも３つの保持部のうちの前記目当てを最も押し込んだときに前記凸部を保持する押込み側保持部とこの保持部に隣接する第２中間保持部との間隔より小さいことを特徴とする請求項１記載の接眼部材。
【請求項３】
前記目当ては前記接眼鏡筒に対して光軸周りへ相対回転可能であり、
前記凸部は前記接眼鏡筒の外周面に装着され、板ばねを折り曲げて形成された突起部であり、
前記少なくとも３つの保持部は前記目当ての内周面に形成され、光軸方向へ延びる複数の溝であることを特徴とする請求項１又は２記載の接眼部材。
【請求項４】
請求項１〜３のいずれか１項記載の接眼部材を有することを特徴とする双眼鏡。
【発明の詳細な説明】
【技術分野】
【０００１】
この発明は接眼部材及び双眼鏡に関する。
【背景技術】
【０００２】
双眼鏡等の光学機器の接眼部材は、外光の侵入を防止したり、接眼部材と目との位置関係を一定に保ち易くしたりすること等を目的として目当てを有している。目当てが装着された接眼部材には接眼鏡筒に対して目当てを光軸方向へ移動させることができる機構を備えているものがある。
【０００３】
目当てを光軸方向へ移動させることができる機構としては、接眼鏡筒に対して光軸方向に移動可能なツイストアップ環と、接眼鏡筒に設けられたツイストアップ調節ピンと、ツイストアップ環に設けられ、ツイストアップ調節ピンを保持する３つのピン係止部とを備えているものが知られている（実用新案３０９０５１３号公報参照）。この機構によれば、目当てを光軸方向の３つの位置で確実に保持することができる。
【０００４】
眼鏡使用者が目当ての位置を調節できる接眼部材を使う場合、目当ては接眼鏡筒へ押し込まれた状態で使用される（図１及び図２参照）。
【０００５】
光学系の最終レンズである接眼レンズＧ１の表面から眼鏡レンズＧ４（Ｇ５）の表面までの距離をＤ、眼鏡レンズＧ４（Ｇ５）の厚さをｔ、眼鏡レンズＧ４（Ｇ５）の裏面から角膜表面Ｅまでの距離をＳ１、角膜表面Ｅから虹彩Ｉまでの距離をＳ２及び光学系の最終レンズである接眼レンズＧ１の表面から虹彩Ｉまでの距離をＸとしたとき、Ｘ＝Ｄ＋ｔ＋Ｓ１＋Ｓ２が成立する。
【０００６】
一般的に、光学系の最終レンズである接眼レンズＧ１の表面から遠視用レンズの眼鏡レンズＧ５の表面までの距離Ｄは光学系の最終レンズＧ１の表面から近視用の眼鏡レンズＧ４の表面までの距離Ｄより小さい。また、遠視用の眼鏡レンズＧ５の厚さｔは近視用の眼鏡レンズＧ４の厚さｔより大きい。
【０００７】
眼鏡レンズＧ４（Ｇ５）の厚さｔは１．１ｍｍ以上、眼鏡レンズＧ４（Ｇ５）の裏面から角膜表面Ｅまでの距離Ｓ１は１２ｍｍ以上、角膜表面Ｅから虹彩Ｉまでの距離Ｓ２は３ｍｍ（空気換算値）程度であるので、通常の場合、光学系の最終レンズである接眼レンズＧ１の表面から虹彩Ｉまでの距離Ｘは２０ｍｍ以上になる。
【０００８】
ところで、双眼鏡等の光学機器のアイポイントＥＰの位置は２０ｍｍ以下であることが一般的である。したがって、目当てを最も押し込んだとしてもアイポイントＥＰの位置と眼鏡使用者の虹彩Ｉの位置とは一致しない。すなわち、眼鏡使用者は目当ての位置を調節してアイポイントＥＰの位置に虹彩Ｉの位置を合わせることができず、全視野を見ることができない。
【０００９】
一方、眼鏡を使用しない人（裸眼の人）が目当ての位置を調節できる接眼部材を使う場合、目当ては接眼鏡筒から引き出された状態で使用される（図３及び図４参照）。
【００１０】
人の顔面形状は千差万別で個人差がある。特に東洋人と西洋人との人種的差異、成人と子供との成長過程の差異、又は男性と女性との性別上の差異等から各人の眼殻形状（奥目、彫りの深さの差異等）が異なる。
【００１１】
そのため、裸眼の人が目当てを接眼鏡筒から引き出したときには目当ての位置を顔面形状に応じて細かく調節（目当ての先端部と虹彩Ｉとの距離Ｌを変える）して虹彩Ｉの位置をアイポイントＥＰの位置に合わせる必要がある。
【特許文献１】実用新案３０９０５１３号公報
【発明の開示】
【発明が解決しようとする課題】
【００１２】
しかし、上記実用新案３０９０５１３号公報の接眼部材では３つのピン係止部が等間隔で形成されているため、目当てを接眼鏡筒から引き出したときに、より微調整を要する領域で細かい位置の調整をすることができないという問題がある。
【００１３】
この発明はこのような事情に鑑みてなされたもので、その課題は裸眼の人が目当てを接眼鏡筒から引き出して使用するときに、その目当ての位置をより微調整を要する領域で細かく調整でき、観察に適した位置に目当てを設定できるようにすることである。
【課題を解決するための手段】
【００１４】
上記課題を解決するため請求項１記載の発明の接眼部材は、接眼レンズを保持する接眼鏡筒の外周部に設けられ、前記接眼鏡筒に対して前記接眼レンズの光軸方向に相対的に移動可能な目当てと、前記接眼鏡筒と前記目当てとが対向する位置の一方に設けられた凸部と、前記接眼鏡筒と前記目当てとが対向する位置の他方に設けられ、前記凸部を保持する少なくとも３つの保持部とを備えている接眼部材において、前記保持部のピッチは前記目当てを押し込む側より引き出す側で相対的に小さくなるように設定されていることを特徴とする。
【００１５】
請求項２記載の発明は、請求項１記載の接眼部材において、前記少なくとも３つの保持部のうちの前記目当てを最も引き出したときに前記凸部を保持する引出し側保持部とこの保持部に隣接する第１中間保持部との間隔が、前記少なくとも３つの保持部のうちの前記目当てを最も押し込んだときに前記凸部を保持する押込み側保持部とこの保持部に隣接する第２中間保持部との間隔より小さいことを特徴とする。
【００１６】
請求項３記載の発明は、請求項１又は２記載の接眼部材において、前記目当ては前記接眼鏡筒に対して光軸周りへ相対回転可能であり、前記凸部は前記接眼鏡筒の外周面に装着され、板ばねを折り曲げて形成された突起部であり、前記少なくとも３つの保持部は前記目当ての内周面に形成され、光軸方向へ延びる複数の溝であることを特徴とする。
【００１７】
請求項４記載の発明の双眼鏡は、請求項１〜３のいずれか１項記載の接眼部材を有することを特徴とする。
【発明の効果】
【００１８】
以上に説明したようにこの発明の接眼部材によれば、裸眼の人が目当てを接眼鏡筒から引き出して使用するときに、その目当ての位置をより微調整を要する領域で細かく調整でき、観察に適した位置に目当てを設定できる。
【発明を実施するための最良の形態】
【００１９】
以下、この発明の実施の形態を図面に基づいて説明する。
【００２０】
図１はこの発明の第１実施形態に係る接眼部材を近視用眼鏡の使用者が使用したときの断面を示す概念図、図２は同接眼部材を遠視用眼鏡の使用者が使用したときの断面を示す概念図、図３、図４はそれぞれ同接眼部材を裸眼の使用者が使用したときの断面を示す概念図、図５は目当ての一部を構成する環状体の斜視図である。
【００２１】
なお、図３は目当てを最も引き出した状態を示し、図４は最も引き出した状態から目当てを僅かに押し込んだ状態を示す。
【００２２】
目当て２０は接眼鏡筒３０の外周面に回転可能に装着された環状体２１とこの環状体２１の外周面を覆う目当てゴム２２とで構成されている。環状体２１の材料は金属又は合成樹脂である。目当てゴム２２は接着剤（図示せず）で環状体２１に固定されている。
【００２３】
接眼鏡筒３０内には接眼レンズＧ１、Ｇ２、Ｇ３を保持するレンズ保持枠３４が収容されている。接眼レンズＧ１、Ｇ２、Ｇ３は観察像を拡大して見るためのものである。
【００２４】
接眼鏡筒３０の外周面には１８０°の間隔でめねじ３６が形成されている。このめねじ３６にはビス３５がねじ込まれている（図１では一方のビス３５だけが見える）。なお、めねじ３６に代えて貫通孔を形成し、この貫通孔にピンを圧入するようにしてもよい。
【００２５】
また、接眼鏡筒３０の外周面にはクリックストップ機構用の板バネ３１が取り付けられている。板バネ３１は曲げ加工によって形成され、その中央には光軸を中心として放射方向へ突出する突起部（凸部）３２（図６〜図９参照）が設けられている。
【００２６】
環状体２１には２つのビス３５の頭部をそれぞれ摺動可能に保持するための２つのカム溝２５ａ，２５ｂが周方向へ等間隔で形成されている。カム溝２５ａ，２５ｂはそれぞれ環状体２１の一方の開口から他方の開口へ向かって斜め方向へ直線的に同じ向きをもって形成されている。
【００２７】
環状体２１の内周面には光軸ＡＸ方向へ延び、クリック用板バネ３１の突起部３２を落ち込ませるための５つのクリック溝（保持部）２６ａ〜２６ｅが形成されている（図５参照）。クリック溝２６ａ〜２６ｅは次の条件を満たすように形成されている。押し込む側であるクリック溝２６ｄ（第１中間保持部）とクリック溝２６ｅ（引出し側保持部）との間隔は引き出す側であるクリック溝２６ａ（押込み側保持部）とクリック溝２６ｂ（第２の中間保持部）との間隔より小さい。
【００２８】
図６は目当てを最も押し込んだ状態の接眼部材の断面を示す概念図、図７は突起部３２がクリック溝２６ａとクリック溝２６ｂとの中間の位置にある状態の接眼部材の断面を示す概念図、図８は突起部３２がクリック溝２６ｄに嵌合した状態の接眼部材の断面を示す概念図、図９は突起部３２がクリック溝２６ｅに嵌合した状態の接眼部材の断面を示す概念図である。
【００２９】
図６に示すように、板バネ３１の突起部３２がクリック溝２６ａに嵌合している。図６は目当て２０を最も押し込んだ状態を示す図１又は図２に対応する。図６に示す状態のとき、接眼レンズＧ１から目当て２０の先端部までの距離が最も短くなる。板バネ３１によって突起部３２がクリック溝２６ａに嵌合しているので、目当て２０の回転方向へ所定値以上の力が作用しない限り、目当て２０の移動が阻止される。その結果、接眼レンズＧ１から目当て２０の先端部までに距離が一定に保たれる。
【００３０】
この状態から目当て２０に反時計方向へ所定値以上の力を加えて突起部３２をクリック溝２６ａから脱出させ、目当て２０を回転させる。このとき、突起部３２は板バネ３１の付勢力によって環状体２１の内周面に押し付けられるので（図７参照）、操作者の手には抵抗力が作用する。目当て２０の回転によって、接眼レンズＧ１から目当て２０の先端部までに距離が次第に長くなる。
【００３１】
目当て２０が所定角度だけ回転したとき、突起部３２がクリック溝２６ｂに嵌合する。このとき、クリック感（突起部３２がクリック溝２６ｂに嵌合したことを認識できる感覚）が得られる。また、突起部３２がクリック溝２６ｂに嵌合しているので、目当て２０の回転方向へ所定値以上の力が作用しない限り、目当て２０の移動が阻止される。その結果、接眼レンズＧ１から目当て２０の先端部までの距離が一定に保たれる。
【００３２】
同様にして、目当て２０に所定値以上の回転力を加えて、突起部３２をクリック溝２６ｂからクリック溝２６ｃへ、更にクリック溝２６ｃからクリック溝２６ｄ（図８参照）へと順次嵌合対象を変える。図８は図４に対応する。なお、いずれのクリック溝２６ｃ、２８ｄに突起部３２を嵌合させたとしてもクリック感を得ることができるとともに、接眼レンズＧ１から目当て２０の先端部までに距離を一定に保つことができる。
【００３３】
更に、目当て２０に所定値以上の回転力を加えて、突起部３２をクリック溝２６ｄからクリック溝２６ｅ（図９参照）へ嵌合対象を変える。クリック溝２６ｅに突起部３２を嵌合させたとき、クリック感を得ることができる。図９は目当て２０を最も引き出した状態を示す図３に対応する。図９に示す状態のとき、接眼レンズＧ１から目当て２０の先端部までの距離が最も長くなる。板バネ３１の突起部３２がクリック溝２６ｅに嵌合しているので、目当て２０の回転方向へ所定値以上の力が作用しない限り、目当て２０の移動が阻止される。その結果、接眼レンズＧ１から目当て２０の先端部までの距離が一定に保たれる。
【００３４】
この実施形態によれば、接眼鏡筒３０に対する目当て２０の位置を細かく調節できるので、裸眼の人が目当て２０を使用するとき、その目当て２０を観察に適した位置に設定することができる。  
なお、クリック溝２６ａ〜２６ｅのピッチは上記の通りである必要はなく、次の条件を満たせば、例えば図１０〜図１３に示すものでもよい。
【００３５】
目当て２０を最も引き出したときに突起部３２が嵌合する引出し側クリック溝とこのクリック溝に隣接するクリック溝との間隔が、目当て２０を最も押し込んだときに突起部３２が嵌合する押込み側クリック溝とこのクリック溝に隣接するクリック溝との間隔より小さい。
【００３６】
図１０〜図１３は環状体の断面を示す概念図である。
【００３７】
図１０は環状体１２１の内周面に３つのクリック溝（保持部）１２６ａ，１２６ｂ，１２６ｃを形成した例を示す。
【００３８】
クリック溝１２６ｂ（第１中間保持部）とクリック溝１２６ｃ（引出し側保持部）との間隔をＡ、クリック溝１２６ａ（押込み側保持部）とクリック溝１２６ｂ（第２中間保持部）との間隔をＢとしたとき、Ｂ＞Ａであり、上記条件を満たしている。
【００３９】
図１１は環状体２１の内周面に５つのクリック溝２６ａ，２６ｂ，２６ｃ，２６ｄ，２６ｅを形成した例を示す。この例の環状体２１は上記実施形態の環状体２１と同様の構成である。
【００４０】
クリック溝２６ｂとクリック溝２６ｃとの間隔、クリック溝２６ｃとクリック溝２６ｄとの間隔及びクリック溝２６ｄ（第１中間保持部）とクリック溝２６ｅ（引出し側保持部）との間隔はそれぞれ同じ間隔Ａである。クリック溝１２６ａ（押込み側保持部）とクリック溝１２６ｂ（第２中間保持部）との間隔Ｂとしたとき、Ｂ＞Ａであり、上記条件を満たしている。
【００４１】
図１２は環状体２２１の内周面に５つのクリック溝（保持部）２２６ａ，２２６ｂ，２２６ｃ，２２６ｄ，２２６ｅを形成した例を示す。
【００４２】
クリック溝２２６ｂとクリック溝２２６ｃとの間隔、クリック溝２２６ｃとクリック溝２２６ｄとの間隔及びクリック溝２２６ｄ（第１中間保持部）とクリック溝２２６ｅ（引出し側保持部）との間隔はそれぞれＤ、Ｃ及びＡである。クリック溝２２６ａ（押込み側保持部）とクリック溝２２６ｂ（第２中間保持部）との間隔Ｂとしたとき、Ｂ＞Ａであり、上記条件を満たしている。なお、ＡとＣとの間にはＡ≠Ｃの関係がある。
【００４３】
図１３は環状体３２１の内周面に６つのクリック溝（保持部）３２６ａ，３２６ｂ，３２６ｃ，３２６ｄ，３２６ｅ，３２６ｆを形成した例を示す。
【００４４】
クリック溝３２６ｃとクリック溝３２６ｄとの間隔はＤ、クリック溝３２６ｄとクリック溝３２６ｅとの間隔はＣ、クリック溝３２６ｅ（第１中間保持部）とクリック溝３２６ｆ（引出し側保持部）との間隔はＡである。クリック溝３２６ａ（押込み側保持部）とクリック溝３２６ｂ（第２中間保持部）との間隔Ｂとしたとき、Ｂ＞Ａであり、上記条件を満たしている。なお、ＡとＣ及びＤとの間にはＡ≠Ｃ，Ｄの関係がある。また、図示を省略するが、クリック溝３２６ｂとクリック溝３２６ｃとの間に更に１つ以上のクリック溝を設けてもよい。
【００４５】
図１４はこの発明の第２実施形態に係る接眼部材の目当ての一部を構成する環状体の側面図である。
【００４６】
この目当ては、環状体５２１に設けられた長孔５２５に沿って図示しない接眼鏡筒に設けられた調節ピン（凸部）を摺動させることによって、目当ての一部を構成する環状体５２１を接眼鏡筒に対して光軸方向（図１４の上下方向）へ移動させる。
【００４７】
この実施形態では凸部を保持する、長孔５２５に形成された４つのピン係止部（保持部）５２６ａ，５２６ｂ，５２６ｃ，５２６ｄのピッチを環状体５２１を所定量以上引き出す（図１４では上方へ移動させる）と小さくなるように設定した。
【００４８】
この実施形態によれば、第１実施形態と同様の効果を奏する。
【００４９】
なお、上記各実施形態では環状体２１側に保持部であるクリック溝２６ａ〜２６ｅやピン係止部５２６ａ〜５２６ｃを設けたが、接眼鏡筒３０側にクリック溝やピン係止部を設けるようにしてもよい。
【００５０】
なお、本発明において、凸部は接眼鏡筒又は目当てに対し、別部材として設けてもよいし、接眼鏡筒又は目当てを直接加工し、凸部を接眼鏡筒又は目当てに設けるようにしてもよい。
【図面の簡単な説明】
【００５１】
【図１】図１はこの発明の第１実施形態に係る接眼部材を近視用眼鏡の使用者が使用したときの断面を示す概念図である。
【図２】図２は同接眼部材を遠視用眼鏡の使用者が使用したときの断面を示す概念図である。
【図３】図３は同接眼部材を裸眼の使用者が使用したときの断面を示す概念図である。
【図４】図４は同接眼部材を裸眼の使用者が使用したときの断面を示す概念図である。
【図５】図５は目当ての一部を構成する環状体の斜視図である。
【図６】図６は目当てを最も押し込んだ状態の接眼部材の断面を示す概念図である。
【図７】図７は突起部３２がクリック溝２６ａとクリック溝２６ｂとの中間の位置にある状態の接眼部材の断面を示す概念図である。
【図８】図８は突起部３２がクリック溝２６ｄに嵌合した状態の接眼部材の断面を示す概念図である。
【図９】図９は突起部３２がクリック溝２６ｅに嵌合した状態の接眼部材の断面を示す概念図である。
【図１０】図１０は環状体の断面を示す概念図である。
【図１１】図１１は環状体の断面を示す概念図である。
【図１２】図１２は環状体の断面を示す概念図である。
【図１３】図１３は環状体の断面を示す概念図である。
【図１４】図１４はこの発明の第２実施形態に係る接眼部材の目当ての一部を構成する環状体の側面図である。
【符号の説明】
【００５２】
２０  目当て
２１  環状体
２６ａ〜２６ｅ，１２６ａ，１２６ｂ，１２６ｃ，２２６ａ，２２６ｂ，２２６ｃ，２２６ｄ，２２６ｅ，３２６ａ，３２６ｂ，３２６ｃ，３２６ｄ，３２６ｅ，３２６ｆ  クリック溝（保持部）
３０  接眼鏡筒
３１  板バネ  
３２  突起部（凸部）
５２６ａ，５２６ｂ，５２６ｃ  ピン係止部（保持部）
Ｇ１，Ｇ２，Ｇ３  接眼レンズ
【図１】
2005257714.tif 000003
【図２】
2005257714.tif 000004
【図３】
2005257714.tif 000005
【図４】
2005257714.tif 000006
【図５】
2005257714.tif 000007
【図６】
2005257714.tif 000008
【図７】
2005257714.tif 000009
【図８】
2005257714.tif 000010
【図９】
2005257714.tif 000011
【図１０】
2005257714.tif 000012
【図１１】
2005257714.tif 000013
【図１２】
2005257714.tif 000014
【図１３】
2005257714.tif 000015
【図１４】
2005257714.tif 000016